(57)【特許請求の範囲】
【請求項１】
壁下地面に当てがわれる基板の両側縁に折曲形成された起立片と、該起立片の上縁を前記基板と平行面となるよう互いに反方向へ折曲形成してなる側面板と、前記起立片の長さ方向略中央部分から前記基板より折曲され前記側面板を越える高さまで延出された突設片であって、前記側面板から外壁材の接合段部の高さに前記基板と平行となるよう、かつ前記突設片の表裏側に折返された止着用爪片と、接続される外壁材の下位接合段部に係合する止着用爪片の一部が２条の細溝によって細長片に分離され、さらに該細長片の止着用爪片に相当する部分は、前記接合段部表面に弾性的に嵌合可能に「く」字状に折曲されてなる外壁材の留め金具。
【請求項２】
請求項１の外壁材の留め金具において、２条の細溝が止着用爪片から突設片まで延長されて切込まれ、該切込みによって細長片が突設片まで形成され、該細長片が弾性曲げ変形し易くされている外壁材の留め金具。
【請求項３】
請求項１または２の外壁材の留め金具において、起立片の長さ方向一端部であって、接合段部の上位側となる外壁材側の端縁が湾曲縁とされてなる外壁材の留め金具。
【請求項４】
請求項１、２または３の外壁材の留め金具において、起立片の長さ方向一端部であって、接合段部が下位側となる外壁材側の端縁が湾曲縁とされてなる外壁材の留め金具。
【発明の詳細な説明】
【０００１】
【発明の属する技術分野】
この発明は、外壁材の留め金具に関する。
【０００２】
【従来の技術】
従来、繊維補強セメント製外壁材などの窯業系外壁材を留め付ける手段として、図５に示すように接合段部１ａ、１ｂを有する下位側外壁材１の接合段部１ａに鉤状引っ掛け部２ａを引っ掛けて留め金具２を仮支持し、この状態で柱や縦胴縁等の下地材４に留め金具２を止着具３で固定することによって下位外壁材１を固定し、次いで下位側外壁材１の接合段部１ａに上位側外壁材１の接合段部１ｂを接合し、留め金具２を介して上下外壁材１、１を接合段部１ａ、１ｂの部分で下地板や柱などの下地材に取り付けることが行なわれている。図中５は防水シーリングを示し、外壁材１、１の縦目地部に介挿されている。
【０００３】
ところで、上記外壁材１の接合段部１ａ、１ｂを水平方向に配置する、いわゆる横張り外壁材の場合、留め金具２は上述のように外壁材１の接合段部１ａに引っ掛ける状態にして仮支持出来るので、留め金具２の下地材に対する止着作業が容易であるが、垂直縦方向に配置する場合は、留め金具２を接合段部１ａにあてがっても、手を放すと落下してしまうので止着作業には何らかの支持手段を必要とし手間が掛る。
【０００４】
このような問題を解消するため、下地の横胴縁に対して引っ掛けることのできる引掛片２ｂ（図６に仮想線で示す）を留め金具２の側面裏面側に突設する場合がある。
【０００５】
しかし、横胴縁の無い合板製の平坦な下地面または鉄骨下地の場合は、図６、図７に示すように引掛片２ｂの係合箇所がないので、やはり留め金具を他の手段で保持しないと落下してしまう問題がある。
【０００６】
【発明が解決しようとする課題】
この発明は上記問題を解消し、下地として合板や側面の幅の広い柱などに、主に縦張で外壁材を留め金具を介して取付ける場合、その施行が非常に容易に行えることを課題としてなされたものである。
【０００７】
【課題を解決するための手段】
上記問題を解消するため、この発明の外壁材の留め金具は、壁下地面に当てがわれる基板の両側縁に折曲形成された起立片と、該起立片の上縁を前記基板と平行面となるよう互いに反方向へ折曲形成した側面板と、前記起立片の長さ方向略中央部分から前記基板より折曲成形され前記側面板を越える高さまで延出された突設片であって、前記側面板から外壁材の接合段部の高さに前記基板と平行となるよう、かつ前記突設片の表裏側に折返された止着用爪片と、接続される外壁材の下位接合段部に係合する止着用爪片の一部が２条の細溝によって細長片に分離され、さらに該細長片の止着用爪片に相当する部分は、前記接合段部表面に弾性的に嵌合可能に「く」字状に折曲されてなるものである。
【０００８】
従って、外壁材の留め金具は、細長片先端の「く」字状の折曲部と側面板との間に外壁材の接合段部を弾性的に挟み込むことにより係合するので、容易に仮固定ができ、外壁材の接合段部に仮固定した状態とすれば以後は外壁材を支持するだけで留め金具の下地に対する取付け施工が容易に可能となる。
【０００９】
請求項２の外壁材の留め金具は、上記請求項１の外壁材の留め金具において、２条の細溝が止着用爪片から突設片まで延長されて切込まれ、該切込みによって細長片が突設片まで形成され、該細長片が弾性曲げ変形し易くされているものである。
【００１０】
従って、接合段部の厚みについて許容範囲内ではあるが大きくなる寸法誤差があっても、細長片は曲げ変形し易くされているので、取付け施工が容易となる。請求項３の外壁材の留め金具は、請求項１または２の外壁材の留め金具において、側面板の長さ方向一端部であって、接合段部の上位側となる外壁材側の端縁が湾曲縁とされてなるものである。
【００１１】
下位側外壁材を取り付けた後、この外壁材に対し上位側外壁材を接合するため近づけたとき、留め金具とあたって傷つくのが防止される。
請求項４の外壁材の留め金具は、請求項１、２または３の外壁材の留め金具において、側面板の長さ方向一端部であって、接合段部が下位側となる外壁材側の端縁が湾曲縁とされてなるものである。
【００１２】
下位外壁材と壁下地面との間に留め金具を挿入する時に、外壁材の傷付きが防止される。
【００１３】
【実施の形態】
次にこの発明の実施の形態を説明する。
図１はこの発明の実施の形態である外壁材の留め金具の斜視図、図２は使用状態を示す断面図、図３は組み付け状態を示す要部破断斜視図である。
【００１４】
なお、以下の説明において、従来と同一または相当する部材は図５、図６で示した部材と同一番号を付し詳細な説明は省略する。
図１において、外壁材の留め金具１０は壁下地面に当てがわれる基板１１の両側縁に折曲形成された起立片１２、１２と、該起立片１２の上縁を前記基板１１と平行面となるよう互いに反方向へ折曲形成してなる側面板１３、１３と、前記起立片１２の長さ方向略中央部分で前記基板１１より折曲され前記起立片１２の側面板１３を越える高さまで延出された突設片１４であって、前記側面板１３から外壁材１の接合段部１ａの高さに前記基板１１と平行となるよう、かつ前記突設片１４の表裏側に折返された止着用爪片１５、１５と、接続される外壁材１の下位接合段部１ａに係合する止着用爪片１５の一部が２条の細溝１６、１６によって細長片１７に分離され、さらに該細長片１７の止着用爪片１５に相当する部分は、図２に示すように前記接合段部１ａ表面に弾性的に嵌合可能に「く」字状に折曲されいる。なお、図１、図２において１８、１９は釘孔を示し、特に釘孔１９は斜面に穿設された卵形状とされ、ビス２０を強く締め付けたときビス頭より卵形状孔に加えられる圧縮力と斜面の傾斜方向による力の方向の両作用によって、留め金具１０が外壁材１方向へ締め付け勝手に移動するようにされている。
【００１５】
上記外壁材の留め金具１０は、厚さ０．２〜１ミリの金属板、例えばステンレス板、鋼鉄板、アルミ軽合金板などの折曲成形等により成形されている。
上記実施の形態において、細長片１７の長さは少なくとも止着用爪片１５と同じ幅Ｂの帯域に設けられるが図示のように止着用爪片１５から突設片１４にかけて長く設けても良い。このような構成とした場合、細長片１７の曲げ弾性がより低くなり、後述する外壁材１の接合段部１ａに対する嵌合が容易に行える。
【００１６】
また、図示のように起立片１２の接合段部の上位側となる外壁材側の端縁１２ａを湾曲縁とする事が望ましい。上位外壁材１を取付ける場合に、その損傷が防止されるからである。
【００１７】
起立片１２の接合段部の下位側となる外壁材側の端縁１２ｂを湾曲縁としても良い。この場合は、下位外壁材１に金具１０を取付ける場合に、衝突したり引っ掛かったりすることによる下位外壁材１の損傷が防止される。
次に使用状態を説明する。
【００１８】
図３に矢印Ａで示すように、外壁材１の接合段部１ａに対して外壁材の留め金具１０をはめ込み、止着用爪片１５と側面板１３との間に接合段部１ａを嵌合する。
【００１９】
すると、図４に示すように細長片１７の「く」字状折曲部が接合段部１ａ表面に弾性的に嵌合し、壁板を縦張姿勢にしていても、外壁材の留め金具１０は図３に示したように落ちることがない。
【００２０】
従って、この状態でビス等の止着具２０を釘孔１９などに打ち込み、留め金具１０を介して外壁材１を柱４ａや合板製下地４ｂなどに下地４に固定する。
そして、図２に矢印で示すように、次の外壁材１の接合段部１ｂを止着用爪片１５に嵌合して接合していくのである。
【００２１】
上記工程において、細長片１７が突設片１４側にまで延設されている場合は、細長片１７が容易に曲げ変形するので、剛性の高い金属で外壁材の留め金具１０を成形しても弾性による仮止め作業が容易となる。
【００２２】
また、接合作業にあたり、起立片１２の端縁が湾曲形状とされている時は、外壁材がこの部分に衝突しても破損など起こすことはない。
なお、上記実施の形態において、下地４が柱４ａや合板製４ｂのような平坦なものの場合を示したが胴縁が設けられた場合であっても同様に使用できる。
【００２３】
【発明の効果】
以上説明したように、請求項１の外壁材の留め金具によれば、縦張で外壁材を張付け作業する場合、接合段部に外壁材の留め金具が、止着用爪片部分で仮止めされてしまうので、壁下地に胴縁のない柱だけの下地や合板製の下地の場合でも、胴縁に代わる部材を取付けることなく、容易に縦張外壁材の取付け作業を実施することができる。
【００２４】
請求項２の外壁材の留め金具によれば、剛性の高い材質で外壁材の留め金具を形成した場合でも、外壁材の留め金具を外壁材に仮止めする際の力が小さくてすみ、作業が容易となる。
【００２５】
また、請求項３あるいは４の外壁材の留め金具によれば、外壁材と外壁材の留め金具とを組み付ける際、両者の衝突による外壁材の損傷が防止できるといった効果がある。
【図面の簡単な説明】
【図１】実施の形態である外壁材の留め金具の斜視図である。
【図２】実施の形態である外壁材の留め金具の取付け状態を示す断面図である。
【図３】同じく使用状態を示す斜視図である。
【図４】同じく使用状態を示す断面図である。
【図５】従来例の斜視図である。
【図６】他の従来例の要部破断斜視図である。
【図７】さらに他の従来例の要部破断斜視図である。
【符号の説明】
１        外壁材
１ａ    接合段部
１ｂ    接合段部
４        下地材
４ａ    柱
４ｂ    合板製下地
４ｃ    防水シート
１０    外壁材の留め金具
１１    基板
１２    起立片
１３    側面板
１４    突設片
１５    止着用爪片
１６    細溝
１７        細長片
【図１】
0003549480.tif 000002
【図２】
0003549480.tif 000003
【図３】
0003549480.tif 000004
【図４】
0003549480.tif 000005
【図５】
0003549480.tif 000006
【図６】
0003549480.tif 000007
【図７】
0003549480.tif 000008